(57)【要約】【課題】一以上の所定の色の各々ごとに撮像素子の階調値を補正して、撮像素子間の色むらを軽減することを目的とする。【解決手段】本発明に係る画像読取装置は、読取対象物からの反射光を受光し、画素信号に変換する複数の撮像素子を備え、画素信号をディジタル画素データＤ１として出力する撮像手段１を備える。そして、撮像手段１からのディジタル画素データＤ１に対し、出力レベルを補正するレベル補正手段２と、レベル補正手段２により補正されたディジタル画素データＬ１に対し、一以上の所定の色の各々ごとに各画素の階調値を補正することにより、各画素間の色バランスを補正する色バランス補正手段３とを備える。【選択図】図１
2009088804.tif 000002
【特許請求の範囲】
【請求項１】
読取対象物からの反射光を受光し、画素信号に変換する複数の撮像素子を備え、前記画素信号をディジタル画素データとして出力する撮像手段と、
前記撮像手段からの前記ディジタル画素データに対し、出力レベルを補正するレベル補正手段と、
前記レベル補正手段により補正された前記ディジタル画素データに対し、一以上の所定の色の各々ごとに各画素の階調値を補正することにより、各画素間の色バランスを補正する色バランス補正手段とを備える、
画像読取装置。
【請求項２】
読取対象物からの反射光を受光し、画素信号に変換する複数の撮像素子を備え、前記画素信号をディジタル画素データとして出力する撮像手段と、
前記撮像手段からの前記ディジタル画素データに対し、出力レベルを補正するレベル補正手段と、
前記レベル補正手段により補正された前記ディジタル画素データに対し、各画素の階調特性を補正する階調特性補正手段と、
前記階調特性補正手段により補正された前記ディジタル画素データに対し、一以上の所定の色の各々ごとに各画素の階調値を補正することにより、各画素間の色バランスを補正する色バランス補正手段とを備える、
画像読取装置。
【請求項３】
前記色バランス補正手段は、
ルックアップテーブルを備え、
前記ルックアップテーブルからのデータ読み出しにより前記補正を行う、
請求項１または請求項２に記載の画像読取装置。
【請求項４】
前記色バランス補正手段は、
所定の係数が予め保管された色バランス補正係数保管手段を備え、
前記所定の係数を用いて所定の演算を行うことにより前記補正を行う、
請求項１または請求項２に記載の画像読取装置。
【請求項５】
前記色バランスは、
Ｒ，Ｇ，Ｂの３色によるバランスを含む、
請求項１乃至請求項４のいずれかに記載の画像読取装置。
【発明の詳細な説明】
【技術分野】
【０００１】
本発明は、複数の撮像素子を備える画像読取装置に関するものである。
【背景技術】
【０００２】
密着イメージセンサーを用いた従来の画像読取装置は、ライン状に並べた複数の撮像素子を備える。そして、黒レベル補正・白レベル補正・階調補正によって、撮像素子間の感度バラツキが均一となるようにデータを補正し、補正後のデータを、ディスプレイやプリンタなどの画像表示装置に出力する画像読取装置が提案されている。特許文献１に記載の画像読取装置では、校正用のチャートとして、無彩色のチャート、つまり、分光反射率特性が波長領域全体にわたって比較的均一な白チャート・黒チャートを用いる。この無彩色の校正用チャートにより、撮像素子間の受光波長領域全体の感度バラツキを測定し、補正している。
【０００３】
【特許文献１】特開平５−１１０８４８号公報
【発明の開示】
【発明が解決しようとする課題】
【０００４】
しかしながら、従来の画像読取装置では、受光波長領域全体の強度については補正することはできるが、例えば、カラーフィルタ透過率のバラツキや、光源の波長変動に起因する色バラツキに対しては補正することができない。そのため、ある色のカラーチャートを読取った場合に、撮像素子間の階調値にバラツキがあり、撮像素子間に色むらが生じるという問題があった。
【０００５】
本発明は、上記のような問題点を解決するためになされたものであり、一以上の所定の色の各々ごとに撮像素子の階調値を補正して、撮像素子間の色むらを軽減することを目的とする。
【課題を解決するための手段】
【０００６】
請求項１に係る画像読取装置は、読取対象物からの反射光を受光し、画素信号に変換する複数の撮像素子を備え、前記画素信号をディジタル画素データとして出力する撮像手段を備える。そして、前記撮像手段からの前記ディジタル画素データに対し、出力レベルを補正するレベル補正手段と、前記レベル補正手段により補正された前記ディジタル画素データに対し、一以上の所定の色の各々ごとに各画素の階調値を補正することにより、各画素間の色バランスを補正する色バランス補正手段とを備える。
【０００７】
請求項２に係る画像読取装置は、読取対象物からの反射光を受光し、画素信号に変換する複数の撮像素子を備え、前記画素信号をディジタル画素データとして出力する撮像手段を備える。そして、前記撮像手段からの前記ディジタル画素データに対し、出力レベルを補正するレベル補正手段と、前記レベル補正手段により補正された前記ディジタル画素データに対し、各画素の階調特性を補正する階調特性補正手段とを備える。そして、前記階調特性補正手段により補正された前記ディジタル画素データに対し、一以上の所定の色の各々ごとに各画素の階調値を補正することにより、各画素間の色バランスを補正する色バランス補正手段を備える。
【発明の効果】
【０００８】
本発明の画像読取装置によれば、一以上の所定の色の各々ごとに各画素の階調値を補正するため、各画素間の色むらを軽減することができる。
【発明を実施するための最良の形態】
【０００９】
＜実施の形態１＞
図１は、本実施の形態に係る画像読取装置の構成を示すブロック図である。本実施の形態に係る画像読取装置は、撮像手段１と、レベル補正手段２と、色バランス補正手段３とを備える。
【００１０】
撮像手段１は、読取対象物からの反射光を受光し、画素信号に変換する複数の撮像素子を備え、画素信号をディジタル画素データＤ１として出力する。読取対象物には、例えば、印刷物、校正用チャートが該当する。ディジタル画素データＤ１は、例えば、各撮像素子に対応する画素信号の値からなる。後述するように、本実施の形態に係る撮像手段１は、一次元的に配列された複数の撮像素子により画像を一次元的に読取り、画素信号の値を一連のディジタル画素データＤ１として出力する。
【００１１】
レベル補正手段２は、撮像手段１からのディジタル画素データＤ１に対し、出力レベルを補正する。色バランス補正手段３は、レベル補正手段２により補正されたディジタル画素データＬ１に対し、一以上の所定の色の各々ごとに各画素の階調値を補正することにより、各画素間の色バランスを補正する。本実施の形態では、一以上の所定の色は、Ｒ（赤），Ｇ（緑），Ｂ（青）の３色であり、色バランスは、Ｒ，Ｇ，Ｂの３色によるバランスであるものとする。そして、色バランス補正手段３は、色バランスを補正したディジタル画素データを色バランス補正出力Ｃ１として出力する。以下、各構成について詳細に説明する。
【００１２】
本実施の形態に係る撮像手段１は、図２に示す密着イメージセンサー４により構成される。密着イメージセンサー４からなる撮像手段１は、複数個のセンサーチップ６と、光源７とを備える。複数個のセンサーチップ６は、本実施の形態では、図２に示すように、ａ個のセンサーチップ６−１〜６−ａからなり、密着イメージセンサー４のセンサー基板５上に互いに接して一列に配置されている。光源７は、センサー基板５上に設けられ、読取対象物に光を照射する。
【００１３】
図３は、本実施の形態に係るセンサーチップ６を示す図である。図に示すように、一のセンサーチップ６は、複数の撮像素子８を備える。こうして、本実施の形態に係る撮像手段１は、複数の撮像素子８を備える。複数の撮像素子８は、読取対象物、例えば、印刷物からの反射光を受光し、画素信号に変換する。
【００１４】
図３に示すように、一のセンサーチップ６は、ｂ個の撮像素子８Ｒ−１〜８Ｒ−ｂと、ｂ個の撮像素子８Ｇ−１〜８Ｇ−ｂと、ｂ個の撮像素子８Ｂ−１〜８Ｂ−ｂとにより構成される。本実施の形態では、３個の撮像素子８Ｒ−ｎ，８Ｇ−ｎ，８Ｂ−ｎ（１≦ｎ≦ｂ）は、一画素に対応するものとする。添え字のＲ，Ｇ，Ｂは、それぞれ赤、緑、青に受光感度を有する撮像素子であることを示す。なお、本実施の形態では、３個の撮像素子８Ｒ−ｎ，８Ｇ−ｎ，８Ｂ−ｎが１画素を構成するとしているが、これに限ったものではなく、センサーチップ６ごと、もしくは、任意の数の撮像素子からなるブロックごとであってもよい。また、図３は、画素の並び方の一例を示したものであり、画素の並び方を特定するものではない。
【００１５】
また、本実施の形態では、図２に示すように、センサーチップ６を隙間無く配置している。しかし、これに限ったものではなく、センサーチップ６を隙間無く配置するのが困難な場合には、一定の間隔の隙間をもってセンサーチップ６を配置し、隙間に対応する画素の情報は、その画素周辺の画素の情報に基づいて補間されるようにしてもよい。
【００１６】
本実施の形態では、撮像手段１のセンサーチップ６−１〜６−ａは、主走査方向に一列に設けられ、その数は所望の読取画素数に応じて決定される。そして、センサーチップ６−１の撮像素子８Ｒ−１からセンサーチップ６−ａの撮像素子８Ｂ−ｂまでのａ×ｂ×３個の撮像素子８において、画素信号の値が連続的あるいは間欠的に読み出されることで、一ライン単位の画素信号が出力される。そのため、二次元の画素信号を出力するためには、副走査方向に所定のタイミングで、密着イメージセンサー４が移動、あるいは、原稿が移動するなどして、上述の一ライン単位の画素信号を繰り返し読み出すことによって行う。こうして、本実施の形態に係る撮像手段１は、複数の撮像素子８からの画素信号をディジタル画素データＤ１として出力する。
【００１７】
図４は、本実施の形態に係る画像読取装置が備えるレベル補正手段２の構成を示す図である。図４に示すように、レベル補正手段２は、本実施の形態では、黒補正処理手段２１と、白補正処理手段２２と、グレーバランス補正処理手段２３と、黒補正係数保管手段２４と、白補正係数保管手段２５と、グレーバランス補正係数保管手段２６とを備える。
【００１８】
黒補正処理手段２１は、撮像手段１からのディジタル画素データＤ１に対して後述の黒レベル補正を行い、当該補正したディジタル画素データＢＫ１を白補正処理手段２２に出力する。白補正処理手段２２は、黒補正処理手段２１からのディジタル画素データＢＫ１に対して後述の白レベル補正を行い、当該補正したディジタル画素データＷＨ１をグレーバランス補正処理手段２３に出力する。グレーバランス補正処理手段２３は、白補正処理手段２２からのディジタル画素データＷＨ１に対して後述のグレーバランス補正を行い、当該補正したディジタル画素データＬ１を出力する。
【００１９】
以上の構成からなるレベル補正手段２は、撮像手段１からのディジタル画素データＤ１に対し、出力レベルを補正する。ここで、レベル補正手段２が出力レベルを補正する動作について説明する。
【００２０】
撮像手段１が出力するディジタル画素データＤ１は、レベル補正手段２の黒補正処理手段２１に入力される。黒補正処理手段２１は、入力されたディジタル画素データＤ１に対し、黒レベル補正を行う。ここでいう黒レベル補正とは、例えば、読取対象物が黒補正チャートである場合や、撮像素子８に反射光を入射させない場合において、各撮像素子８から出力される全画素信号が、黒レベルとして予め定めておいた一定の信号値となるように補正することをいう。これにより、黒レベルにおける撮像素子８間の信号値のバラツキは抑えられる。本実施の形態では、黒補正処理手段２１は、式（１）に基づいて、黒レベル補正を行う。
【００２１】
【数１】
2009088804.tif 000003
【００２２】
ここで、ＢＫｍは、黒補正係数保管手段２４に保管された黒補正係数であり、ＢＫ１は、黒レベル補正後のデータである。黒補正係数ＢＫｍは、印刷物からの反射光を受光しない状態、例えば、印刷物を黒補正チャートとする状態、または、光源７をオフにした状態で、センサーチップ６に読取られた画素信号の値に基づいて定められる。
【００２３】
白補正処理手段２２は、黒補正処理手段２１により補正されたディジタル画素データＢＫ１に対して白レベル補正を行う。ここでいう白レベル補正とは、例えば、読取対象物を白チャートにして、光源７を点灯する場合において、各撮像素子８から出力される全画素信号が、白レベルとして予め定めておいた一定の信号値となるように補正することをいう。これにより、光学系の減衰分は補正されるとともに、白レベルにおける撮像素子８間の信号値のバラツキは抑えられる。本実施の形態では、白補正処理手段２２は、式（２）に基づいて、白レベル補正を行う。
【００２４】
【数２】
2009088804.tif 000004
【００２５】
ここで、ＷＨｍは、白補正係数保管手段２５に保管された白補正係数であり、ＷＨ１は、白レベル補正後のデータである。白補正係数ＷＨｍは、例えば、白補正チャートを用い、当該チャートのターゲット値と実測値との比率から予め算出した値が用いられる。
【００２６】
グレーバランス補正処理手段２３は、白補正処理手段２２により補正されたディジタル画素データＷＨ１に対してグレーバランス補正を行う。本実施の形態では、グレーバランス補正処理手段２３は、式（３）に基づいて、グレーバランス補正を行う。
【００２７】
【数３】
2009088804.tif 000005
【００２８】
ここで、ＧＢｍは、グレーバランス係数保管手段１４に保管されたグレーバランス保管係数であり、Ｌ１は、グレーバランス補正後のデータである。グレーバランス補正係数ＧＢｍは、例えば、グレーバランス補正用チャートを用い、当該チャートのターゲット値と実測値との比率を、グレーを構成する赤、緑、青それぞれのチャンネルに対して予め算出した値を用いる。
【００２９】
以上のようなレベル補正手段２による補正は、例えば、３個の撮像素子８Ｒ−ｎ，８Ｇ−ｎ，８Ｂ−ｎごと、センサーチップ６ごと、もしくは、任意の数の撮像素子８からなるブロックごとに行う。
【００３０】
ここまでは、従来の画像読取装置と同じ構成である。ここで、図５（ａ）に、一の所定の色のカラーチャートを用いた場合において、レベル補正手段２による補正処理を経たディジタル画素データＬ１の各画素の階調値の分布を示す。ここで画素は、上述したように、本実施の形態では、上述の３個の撮像素子８Ｒ−ｎ，８Ｇ−ｎ，８Ｂ−ｎ（１≦ｎ≦ｂ）からなる。図５において、横軸は、水平に一次元的に配置された画素の水平位置を示し、縦軸は、ディジタル画素データの各画素の階調値を示す。点線は、画素の階調値の目標値を示す。
【００３１】
図５（ａ）に示すように、一の所定の色の目標値に対して、実際に読取られた階調値のバラツキは、画素ごとに異なる。このように、従来の画像読取装置では、レベル補正手段２により白補正、黒補正からなる出力レベルを補正しても、所定の色における画素間の階調値のばらつきは補正されていない。その結果、所定の色のカラーチャートを読取った場合に、画素の階調値にバラツキがあるため、画素間に色むらが生じるという問題があった。
【００３２】
図５（ｂ）は、図５（ａ）の一の所定の色とは色が異なる所定の色のカラーチャートを用いて、図５（ａ）と同様に、各画素の階調値の分布を示したものである。図５（ｂ）に示すように、カラーチャートの色が異なると、画素間の階調値のばらつき具合も異なるという問題があった。
【００３３】
このような色むらを軽減するためには、所定の色ごとに各画素の階調値を補正する補正係数を設定する必要がある。そこで、本実施の形態に係る画像読取装置が備える色バランス補正手段３は、レベル補正手段２により補正されたディジタル画素データＬ１に対し、一以上の所定の色（ここでは、Ｒ，Ｇ，Ｂ）の各々ごとに各画素の階調値を補正することにより、各画素間のＲ，Ｇ，Ｂの色バランスを補正する。
【００３４】
図６は、本実施の形態に係る色バランス補正手段３の構成を示すブロック図である。図６に示すように、本実施の形態に係る色バランス補正手段３は、色バランス補正処理手段３１と、ルックアップテーブル（以下、ＬＵＴ）３２とを備える。ＬＵＴ３２には、所定の色の各々ごとの実際に読取った階調値に対する色バランス目標値が、Ｒ，Ｇ，Ｂの３次元の要素として保管されている。
【００３５】
色バランス補正処理手段３１は、レベル補正手段２から出力されたディジタル画素データＬ１のＲ，Ｇ，Ｂの色バランスに応じて、ＬＵＴ３２より上述の色バランス目標値を色バランスデータＣｍとして読み出し、置換し、色バランス補正後データＣ１として出力する。このように、本実施の形態に係る画像読取装置では、ＬＵＴ３２からのデータ読み出しにより色バランスの補正を行う。ＬＵＴ３２の補正係数が、撮像手段１が出力するディジタル画素データＤ１の階調数より少ない場合は、周辺のテーブルデータより補間する。
【００３６】
色バランス補正手段３による図５（ａ）の補正結果の例を図５（ｃ）に示す。図５（ｂ）の補正結果は図示しないが、図５（ｃ）と同様、読取った階調値が目標値に近づくように補正する。このように、本実施の形態に係る画像読取装置では、一以上の所定の色の各々ごとに各画素の階調値を補正するため、画素間の色むらを軽減することができる。また、画像読取装置単体で、画素間の色むらを補正した高精度画像データを出力することができるため、出力先の装置、例えば、コピー装置やプリンタにおける画像補正処理を削減することができる。
【００３７】
なお、本実施の形態では、撮像手段１は、撮像素子８Ｒ−ｎ，８Ｇ−ｎ，８Ｂ−ｎが一次元的に配列されている密着イメージセンサー４からなるものとして説明した。しかし、これに限ったものではなく、撮像手段１は、複数の撮像素子を二次元的に配列し、二次元方向の配列を一単位として読み出して画像を形成する画像読取装置、例えば、ディジタルカメラであってもよい。
【００３８】
＜実施の形態２＞
図７は、本実施の形態に係る画像読取装置が備える色バランス補正手段３を示すブロック図である。図７に示すように、本実施の形態に係る色バランス補正手段３は、色バランス補正処理手段３１と、色バランス補正係数保管手段３４とを備える。以下、本実施の形態に係る画像読取装置の構成のうち、実施の形態１と同一の構成については、同一の符号を付すものとし、新たに説明しない構成については、実施の形態１と同じであるものとする。
【００３９】
色バランス補正係数保管手段３３は、所定の係数が予め保管されている。所定の係数は、本実施の形態では、赤、緑、青の各チャンネルの組み合わせに対する補正係数であるものとする。
【００４０】
本実施の形態に係る画像読取装置は、補正係数を用いて所定の演算を行うことにより色バランスの補正を行う。本実施の形態では、色バランス補正処理手段３１は、レベル補正手段２から出力されたディジタル画素データＬ１（Ｌ１Ｒ，Ｌ１Ｇ，Ｌ１Ｂ）に対し、色を構成する色成分に成分分解を行う。そして、色バランス補正処理手段３１は、上述の所定の演算として、色成分ごとの数値に、色バランス補正係数保管手段３３に保管された補正係数を用いて式（４）に示すマトリクス演算を行う。
【００４１】
【数４】
2009088804.tif 000006
【００４２】
ここで、ＲＫ０，ＲＫ１，・・・，ＲＫ１１，・・・，ＢＫ１１は、色バランス補正係数保管手段３３に予め保管された補正係数であり、Ｈｒ，Ｈｇ，Ｈｂ，・・・，Ｈｂｍは、入力データＬ１に対し、色成分ごとに成分分解を行った数値である。そして、色バランス補正処理手段３１は、色バランス補正出力Ｃ１Ｒ，Ｃ１Ｇ，Ｃ１Ｂを出力する。
【００４３】
図８は、色バランス補正手段３が、上述の補正係数を算出する手順を示すフローチャートである。まず、予め設定した１以上の所定の色のカラーチャートについて出力値を取得する（ステップＳ１）。次に、各センサーチップ６ごとに平均値を求める（ステップＳ２）。次に、１以上の所定の色のカラーチャートごとの目標値と、ステップＳ２で算出した実測平均値の差が最小となる式（４）の補正係数を求める（ステップＳ３）。次に、ステップＳ３で求めた補正係数を色バランス補正係数保管手段３３に格納する（ステップＳ４）。
【００４４】
以上のような本実施の形態に係る画像読取装置によれば、実施の形態１と同様、一以上の所定の色ごとに各画素の階調値を補正するため、画素間の色むらを軽減することができる。さらに、本実施の形態では、色バランス補正にマトリクス演算を用いるため、ＬＵＴ３２よりもメモリを小さくすることができる。そのため、色バランス補正係数保管手段３３のメモリを削減することができる。
【００４５】
＜実施の形態３＞
図９は、本実施の形態に係る画像読取装置を示すブロック図である。図９に示すように、本実施の形態に係る画像読取装置は、撮像手段１と、レベル補正手段２と、階調特性補正手段９と、色バランス補正手段３とを備える。本実施の形態では、レベル補正手段２と色バランス補正手段３との間に、階調特性補正手段９が加わっている点で、実施の形態１と異なる。以下、本実施の形態に係る画像読取装置の構成のうち、実施の形態１と同一の構成については、同一の符号を付すものとし、新たに説明しない構成については、実施の形態１と同じであるものとする。
【００４６】
レベル補正手段２までの構成、動作は、実施の形態１と同様である。図１０は、本実施の形態に係る階調特性補正手段９の構成を示すブロック図である。図１０に示すように、本実施の形態に係る階調特性補正手段９は、階調特性補正処理手段９１と、階調特性補正係数保管手段９２とを備える。
【００４７】
階調特性補正係数保管手段９２は、階調特性補正係数を保管する。階調特性補正処理手段９１は、階調特性補正係数保管手段９２に保管された階調特性補正係数を用いて、レベル補正手段２からのディジタル画素データＬ１に、式（５）の演算を施し、階調特性の補正を行う。
【００４８】
【数５】
2009088804.tif 000007
【００４９】
ここで、Ｔｍは、階調特性補正係数保管手段９２に保管された階調特性補正係数である。この階調特性補正係数Ｔｍは、階調値ごとに設定される値であり、例えば、グレースケールチャートを用い、当該チャートのターゲット値と実測値との比率を、階調値ごとに、グレーを構成する赤、緑、青それぞれのチャンネルに対して予め算出した値からなる。
【００５０】
こうして、本実施の形態に係る階調特性補正手段９は、レベル補正手段２により補正されたディジタル画素データＬ１に対し、各画素の階調特性を補正する。なお、保管するデータの階調数が、撮像手段１が出力するディジタル画素データの階調数より少ない場合には、隣接する階調値のデータより補間する。階調特性補正手段９は、以上のようにして階調特性を補正したディジタル画素データＴ１を、色バランス補正手段３に出力する。
【００５１】
色バランス補正手段３は、本実施の形態では、階調特性補正手段９により補正されたディジタル画素データＴ１に対し、一以上の所定の色の各々ごとに各画素の階調値を補正することにより、各画素間の色バランスを補正する。色バランス補正を施す対象が、レベル補正手段２により補正されたディジタル画素データＬ１から、階調特性補正手段９により補正されたディジタル画素データＴ１に代わる以外は、実施の形態１と同じである。
【００５２】
以上の構成からなる本実施の形態に係る画像読取装置によれば、実施の形態１と同様、一以上の所定の色ごとに各画素の階調値を補正するため、画素間の色むらを軽減することができる。さらに、本実施の形態では、色バランス補正を行う前に、階調特性補正手段９により、階調特性に補正を施すため、後段の色バランス補正においてより高精度な補正を行うことができる。
【図面の簡単な説明】
【００５３】
【図１】実施の形態１に係る画像読取装置の構成を示すブロック図である。
【図２】実施の形態１に係る画像読取装置の撮像手段を示す図である。
【図３】実施の形態１に係る画像読取装置の撮像手段を示す図である。
【図４】実施の形態１に係る画像読取装置のレベル補正手段の構成を示すブロック図である。
【図５】実施の形態１に係る画像読取装置の効果を示すブロック図である。
【図６】実施の形態１に係る画像読取装置の色バランス補正手段の構成を示すブロック図である。
【図７】実施の形態２に係る画像読取装置の色バランス補正手段の構成を示すブロック図である。
【図８】実施の形態２に係る画像読取装置の動作を示すフローチャートである。
【図９】実施の形態３に係る画像読取装置の構成を示すブロック図である。
【図１０】実施の形態３に係る画像読取装置の階調特性補正手段の構成を示すブロック図である。
【符号の説明】
【００５４】
１  撮像手段、２  レベル補正手段、３  色バランス補正手段、４  密着イメージセンサー、５  センサー基板、６−１〜６−ａ  センサーチップ、７  光源、８Ｒ−１〜８Ｒ−ｂ，８Ｇ−１〜８Ｇ−ｂ，８Ｂ−１〜８Ｂ−ｂ  撮像素子、９  階調特性補正手段、２１  黒補正処理手段、２２  白補正処理手段、２３  グレーバランス補正処理手段、２４  黒補正係数保管手段、２５  白補正係数保管手段、２６  グレーバランス補正係数保管手段、３１  色バランス補正処理手段、３２  ルックアップテーブル、３３  色バランス補正係数保管手段、９１  階調特性補正処理手段、９２  階調特性補正係数保管手段、Ｃ１，Ｄ１，Ｌ１，Ｔ１  ディジタル画素データ。
【図１】
2009088804.tif 000008
【図２】
2009088804.tif 000009
【図３】
2009088804.tif 000010
【図４】
2009088804.tif 000011
【図５】
2009088804.tif 000012
【図６】
2009088804.tif 000013
【図７】
2009088804.tif 000014
【図８】
2009088804.tif 000015
【図９】
2009088804.tif 000016
【図１０】
2009088804.tif 000017